(57)【要約】【課題】リアルタイムな病状の報告や確認などを可能とすることができる構造のデータ通信システムを提供する。【解決手段】一般ユーザが健康報告データＨＲＤを携帯通信端末１００の健康管理部１１０に入力すると、その健康報告データＨＲＤが携帯通信端末１００の端末送信部１２０によりデータ処理装置２００に送信される。すると、その健康報告データＨＲＤがデータ処理装置２００の上位受信部２１０で受信され、データ処理装置２００のユーザ管理部２２０でユーザ管理データＵＭＤとともに記憶される。このため、例えば、一般ユーザは来院することなく携帯通信端末１００により医師に病状を健康報告データＨＲＤで報告するようなことができ、医師は一般ユーザが来院せずとも病状をデータ処理装置２００に記憶された健康報告データＨＲＤで確認するようなことができる。【選択図】図１
2008269372.tif 000002
【特許請求の範囲】
【請求項１】
一般ユーザの携帯通信端末と健康管理機関のデータ処理装置とがデータ通信する構造のデータ通信システムであって、
前記携帯通信端末は、健康管理に関連した健康報告データの入力を受け付ける健康管理部と、入力された前記健康報告データを前記データ処理装置に送信する端末送信部と、を有し、
前記データ処理装置は、前記携帯通信端末から前記健康報告データを受信する上位受信部と、受信された前記健康報告データをユーザ管理データとともに記憶するユーザ管理部と、を有するデータ通信システム。
【請求項２】
一般ユーザの携帯通信端末とデータ通信する健康管理機関のデータ処理装置であって、
健康管理に関連した健康報告データを前記携帯通信端末から受信する上位受信部と、
受信された前記健康報告データをユーザ管理データとともに記憶するユーザ管理部と、
を有するデータ処理装置。
【請求項３】
前記健康報告データの入力を受け付ける健康管理部を前記携帯通信端末に実装する機能実装部を、さらに有する請求項２に記載のデータ処理装置。
【請求項４】
前記ユーザ管理部は、前記ユーザ管理データとともに所定の健康管理通知と通知出力条件も登録され、
前記機能実装部は、入力された前記健康報告データが前記通知出力条件に該当しているかを判定する端末判定部と、前記通知出力条件に該当していると前記健康管理通知を報知出力する通知出力部とを、さらに前記携帯通信端末に実装する請求項３に記載のデータ処理装置。
【請求項５】
前記ユーザ管理部は、前記ユーザ管理データとともに所定の健康管理通知と通知出力時刻も登録され、
前記機能実装部は、現在時刻が前記通知出力時刻となったかを判定する端末判定部と、前記通知出力時刻になると前記健康管理通知を報知出力する通知出力部とを、さらに前記携帯通信端末に実装する請求項３または４に記載のデータ処理装置。
【請求項６】
前記ユーザ管理部は、前記ユーザ管理データとともに所定の健康管理通知と通知出力条件も登録され、
受信された前記健康報告データが前記通知出力条件に該当しているかを前記ユーザ管理データごとに判定する上位判定部と、
前記通知出力条件に該当していると前記健康管理通知を前記携帯通信端末に返信する上位送信部とを、
さらに有する請求項２ないし５の何れか一項に記載のデータ処理装置。
【請求項７】
前記ユーザ管理部は、前記ユーザ管理データとともに所定の健康管理通知と通知出力時刻も登録され、
現在時刻が前記通知出力時刻となったかを前記ユーザ管理データごとに判定する上位判定部と、
前記通知出力時刻になると前記健康管理通知を前記携帯通信端末に送信する上位送信部とを、
さらに有する請求項２ないし６の何れか一項に記載のデータ処理装置。
【請求項８】
前記上位受信部は、前記健康管理通知への対処完了として前記携帯通信端末に入力された前記健康報告データも受信し、
前記健康管理通知の出力から所定時間が経過しても前記対処完了の前記健康報告データが受信されないと所定の健康管理警告を前記ユーザ管理データの少なくとも一部とともに報知出力する警告報知部を、さらに有する請求項４ないし７の何れか一項に記載のデータ処理装置。
【請求項９】
前記ユーザ管理部は、前記ユーザ管理データとともに診断結果データが登録され、
複数の健康質問データを記憶しているソース記憶部と、
登録された前記ユーザ管理データおよび前記診断結果データに対応して前記健康質問データを取捨選択する質問選択部と、
取捨選択された前記健康質問データで前記携帯通信端末に実装されて前記健康報告データが入力される健康管理アプリケーションを生成するアプリケーション生成部とを、
さらに有する請求項２ないし８の何れか一項に記載のデータ処理装置。
【請求項１０】
健康質問データを出力して健康報告データの入力を受け付ける健康管理部を一般ユーザの携帯通信端末に実現する健康管理アプリケーションを生成するデータ処理装置であって、
ユーザ管理データとともに診断結果データが登録されるユーザ管理部と、
複数の前記健康質問データを記憶しているソース記憶部と、
登録された前記ユーザ管理データおよび前記診断結果データに対応して前記健康質問データを取捨選択する質問選択部と、
取捨選択された前記健康質問データで前記健康管理アプリケーションを生成するアプリケーション生成部と、
を有するデータ処理装置。
【請求項１１】
前記健康管理アプリケーションを前記携帯通信端末に送信して前記健康管理部を実装する機能実装部を、さらに有する請求項１０に記載のデータ処理装置。
【請求項１２】
前記ソース記憶部は、前記ユーザ管理データおよび前記診断結果データに対応した健康属性データと二値フラグとが各々付与されている複数の前記健康質問データを記憶しており、
前記質問選択部は、登録された前記ユーザ管理データおよび前記診断結果データと前記健康属性データとの整合関係に基づいて前記健康質問データの前記二値フラグをオンオフ設定し、
前記アプリケーション生成部は、前記二値フラグがオン設定された前記健康質問データで前記健康管理アプリケーションを生成する請求項９ないし１１の何れか一項に記載のデータ処理装置。
【請求項１３】
一般ユーザの携帯通信端末と通信ネットワークでデータ通信する健康管理機関のデータ処理装置であって、
ユーザ管理データを記憶するユーザ管理部と、
前記携帯通信端末で閲覧されて健康管理に関連した健康報告データが入力される健康管理サイトを前記ユーザ管理データごとに前記通信ネットワークに開設する健康管理部と、
前記携帯通信端末による前記健康管理サイトへのログインを前記ユーザ管理データに基づいて受け付けるログイン部と、
ログインされた前記健康管理サイトに前記携帯通信端末から入力された前記健康報告データを受信する上位受信部と、を有し、
前記ユーザ管理部は、受信された前記健康報告データを前記ユーザ管理データとともに記憶するデータ処理装置。
【請求項１４】
前記ユーザ管理部は、前記ユーザ管理データとともに所定の健康管理通知と通知出力条件も登録され、
受信された前記健康報告データが前記通知出力条件に該当しているかを前記ユーザ管理データごとに判定する上位判定部と、
前記通知出力条件に該当していると前記健康管理通知を前記健康管理サイトに表示出力する上位送信部とを、
さらに有する請求項１３に記載のデータ処理装置。
【請求項１５】
前記ユーザ管理データの少なくとも一部と来訪日時とが設定されている複数のユーザ来訪予定を記憶している予定管理部と、
受信された前記健康報告データが所定の来訪設定条件に該当しているかを判別する条件判別部と、
前記来訪設定条件に該当していると前記ユーザ来訪予定を生成して前記予定管理部に登録する予定登録部とを、
さらに有する請求項２ないし１４の何れか一項に記載のデータ処理装置。
【請求項１６】
前記ユーザ管理データの少なくとも一部と来訪日時とが設定されている複数のユーザ来訪予定を記憶している予定管理部と、
受信された前記健康報告データが所定の来訪設定条件に該当しているかを判別する条件判別部と、
前記来訪設定条件に該当していると前記ユーザ来訪予定を生成して前記予定管理部に登録する予定登録部と、
登録された前記ユーザ来訪予定を前記健康管理サイトに表示出力する上位送信部とを、
さらに有する請求項１３または１４に記載のデータ処理装置。
【請求項１７】
登録された前記ユーザ来訪予定を前記携帯通信端末に送信する上位送信部を、さらに有する請求項１５または１６に記載のデータ処理装置。
【請求項１８】
健康管理機関のデータ処理装置とデータ通信する一般ユーザの携帯通信端末であって、
健康管理に関連した健康報告データの入力を受け付ける健康管理部と、
入力された前記健康報告データを前記データ処理装置に送信する端末送信部と、
を有する携帯通信端末。
【請求項１９】
入力された前記健康報告データが所定の通知出力条件に該当しているかを判定する端末判定部と、
前記通知出力条件に該当していると所定の健康管理通知を報知出力する通知出力部とを、
さらに有する請求項１８に記載の携帯通信端末。
【請求項２０】
前記健康管理部は、所定の健康管理通知と通知出力時刻も登録され、
現在時刻が前記通知出力時刻となったかを判定する端末判定部と、
前記通知出力時刻になると前記健康管理通知を報知出力する通知出力部とを、さらに有する請求項１８または１９に記載の携帯通信端末。
【請求項２１】
前記データ処理装置から所定の健康管理通知を受信する端末受信部と、
受信された前記健康管理通知を報知出力する通知出力部とを、さらに有する請求項１８ないし２０の何れか一項に記載の携帯通信端末。
【請求項２２】
前記健康管理部は、前記健康管理通知への対処完了の前記健康報告データも入力され、
前記健康管理通知の出力から所定時間が経過しても前記対処完了の前記健康報告データが入力されないと所定の健康管理警告を前記端末送信部から前記データ処理装置に送信させる端末判定部を、さらに有する請求項１９ないし２１の何れか一項に記載の携帯通信端末。
【請求項２３】
前記健康報告データの少なくとも一部を生成するデータ生成部と、
生成された前記健康報告データを前記健康管理部に入力する報告入力部とを、
さらに有する請求項１８ないし２２の何れか一項に記載の携帯通信端末。
【請求項２４】
外部のデータ生成デバイスから前記健康報告データの少なくとも一部を取得して前記健康管理部に入力する報告入力部を、さらに有する請求項１８ないし２３の何れか一項に記載の携帯通信端末。
【請求項２５】
一般ユーザの携帯通信端末とデータ通信する健康管理機関のデータ処理装置のためのコンピュータプログラムであって、
健康管理に関連した健康報告データを前記携帯通信端末から受信する上位受信処理と、
受信された前記健康報告データをユーザ管理データとともに記憶するユーザ管理処理と、
を前記データ処理装置に実行させるコンピュータプログラム。
【請求項２６】
健康質問データを出力して健康報告データの入力を受け付ける健康管理部を一般ユーザの携帯通信端末に実現する健康管理アプリケーションを生成するデータ処理装置のためのコンピュータプログラムであって、
ユーザ管理データとともに診断結果データが登録されるユーザ管理処理と、
複数の前記健康質問データを記憶しているソース記憶処理と、
登録された前記ユーザ管理データおよび前記診断結果データに対応して前記健康質問データを取捨選択する質問選択処理と、
取捨選択された前記健康質問データで前記健康管理アプリケーションを生成するアプリケーション生成処理と、
を前記データ処理装置に実行させるコンピュータプログラム。
【請求項２７】
一般ユーザの携帯通信端末と通信ネットワークでデータ通信する健康管理機関のデータ処理装置のためのコンピュータプログラムであって、
ユーザ管理データを記憶するユーザ管理処理と、
前記携帯通信端末で閲覧されて健康管理に関連した健康報告データが入力される健康管理サイトを前記ユーザ管理データごとに前記通信ネットワークに開設する健康管理処理と、
前記携帯通信端末による前記健康管理サイトへのログインを前記ユーザ管理データに基づいて受け付けるログイン処理と、
ログインされた前記健康管理サイトに前記携帯通信端末から入力された健康報告データを受信する上位受信処理と、
受信された前記健康報告データをユーザ管理データとともに記憶するユーザ管理処理と、
を前記データ処理装置に実行させるコンピュータプログラム。
【請求項２８】
健康管理機関のデータ処理装置とデータ通信する一般ユーザの携帯通信端末のためのコンピュータプログラムであって、
健康管理に関連した健康報告データの入力を受け付ける健康管理処理と、
入力された前記健康報告データを前記データ処理装置に送信する端末送信処理と、
を前記携帯通信端末に実行させるコンピュータプログラム。
【発明の詳細な説明】
【技術分野】
【０００１】
本発明は、一般ユーザの携帯通信端末と健康管理機関のデータ処理装置とがデータ通信する構造のデータ通信システム、そのデータ処理装置、その携帯通信端末、このようなデータ処理装置および携帯通信端末のコンピュータプログラム、に関する。
【背景技術】
【０００２】
現在、一般ユーザが治癒まで長期間が必要な病気を罹患したような場合、その一般ユーザである患者は健康管理機関である病院に通院し、医師による治療を受診することになる。
【０００３】
このような場合、医師は来院した患者を診断するときに、治療のために日常の体調や生活習慣などを患者から聴取することが一般的である。また、医師は治療のために体調や生活習慣などの記録を患者に指示することもある。その場合、患者が記録した用紙を来院時に持参すれば、それを医師は治療のために利用することができる。
【０００４】
なお、現在では病院でも各種の電子化が推進されており、例えば、患者ごとのカルテを電子化した電子カルテなども実施されている。このような電子カルテを利用している病院では、例えば、上述のように医師が患者から聴取した情報も、医師や看護士などにより電子カルテに登録されることになる。
【特許文献１】特開２００２−２２２２６６号公報
【特許文献２】特開２００６−０４８４２３号公報
【発明の開示】
【発明が解決しようとする課題】
【０００５】
しかし、現状では患者が来院しないと日常の体調や生活習慣などを医師に報告することができない。このため、例えば、病状が急激に悪化しているのに患者に自覚症状がないような場合、治療が手遅れとなることもある。このようなことは、例えば、患者が頻繁に医師を来訪すれば予防できるが、この場合は患者と医師との両者の負担が過大である。
【０００６】
また、患者が日常の体調などを記録する場合、例えば、定時ごとに所定の情報を用紙に記載することになる。しかし、このように定時ごとに情報を記載することは、実際には煩雑で失念されやすい。
【０００７】
特に、病状によっては複数種類の情報を各々に適切な時刻ごとに記録することが必要な場合もある。しかし、このようなことは極度に煩雑であり、患者に実行させることは困難である。
【０００８】
また、患者が日常的に外出するような場合、用紙を常時携帯することも煩雑で失念する可能性が高い。このため、記録が連続しないようなことが多々ある。しかも、その用紙を遺失する可能性もあり、その場合は病気に関連した重大な個人情報が流出することになる。
【０００９】
さらに、患者が体調などを用紙に適正に記録した場合でも、その情報を電子カルテに登録するためには、医師や看護士などが用紙に記載されている情報を、データ処理装置の手動操作で入力する必要がある。このため、医師や看護士の作業が煩雑であり、誤入力も発生しやすい。
【００１０】
本発明は上述のような課題に鑑みてなされたものであり、一般ユーザが来院することなく医師に病状をリアルタイムに報告するようなことができるデータ通信システム、そのデータ処理装置および携帯通信端末、そのコンピュータプログラム、を提供するものである。
【課題を解決するための手段】
【００１１】
本発明のデータ通信システムは、一般ユーザの携帯通信端末と健康管理機関のデータ処理装置とがデータ通信する構造のデータ通信システムであって、携帯通信端末は、健康管理に関連した健康報告データの入力を受け付ける健康管理部と、入力された健康報告データをデータ処理装置に送信する端末送信部と、を有し、データ処理装置は、携帯通信端末から健康報告データを受信する上位受信部と、受信された健康報告データを一般ユーザごとのユーザ管理データとともに記憶するユーザ管理部と、を有する。
【００１２】
従って、本発明のデータ通信システムでは、一般ユーザが健康報告データを携帯通信端末の健康管理部に入力すると、その健康報告データが携帯通信端末の端末送信部によりデータ処理装置に送信される。すると、その健康報告データがデータ処理装置の上位受信部で受信され、データ処理装置のユーザ管理部でユーザ管理データとともに記憶される。このため、例えば、一般ユーザは来院することなく携帯通信端末により医師に病状を健康報告データで報告するようなことができ、医師は一般ユーザが来院せずとも病状をデータ処理装置に記憶された健康報告データで確認するようなことができる。
【００１３】
本発明の第一のデータ処理装置は、一般ユーザの携帯通信端末とデータ通信する健康管理機関のデータ処理装置であって、健康管理に関連した健康報告データを携帯通信端末から受信する上位受信部と、受信された健康報告データを一般ユーザごとのユーザ管理データとともに記憶するユーザ管理部と、を有する。
【００１４】
従って、本発明のデータ処理装置では、一般ユーザの携帯通信端末から健康報告データを上位受信部で受信すると、その健康報告データがユーザ管理部でユーザ管理データとともに記憶される。このため、例えば、一般ユーザは来院することなく携帯通信端末により医師に病状を健康報告データで報告するようなことができ、医師は一般ユーザが来院せずとも病状をデータ処理装置に記憶された健康報告データで確認するようなことができる。
【００１５】
本発明の第二のデータ処理装置は、健康質問データを出力して健康報告データの入力を受け付ける健康管理部を一般ユーザの携帯通信端末に実現する健康管理アプリケーションを生成するデータ処理装置であって、ユーザ管理データとともに診断結果データが登録されるユーザ管理部と、複数の健康質問データを記憶しているソース記憶部と、登録されたユーザ管理データおよび診断結果データに対応して健康質問データを取捨選択する質問選択部と、取捨選択された健康質問データで健康管理アプリケーションを生成するアプリケーション生成部と、を有する。
【００１６】
従って、本発明のデータ処理装置では、例えば、健康管理機関で一般ユーザが健康管理サービスを受診し、診断結果データがユーザ管理データとともに登録されると、これに対応して複数の健康質問データが取捨選択されて健康管理アプリケーションが生成される。このため、一般ユーザに専用の健康管理アプリケーションが診断結果に対応して自動生成される。
【００１７】
本発明の第三のデータ処理装置は、一般ユーザの携帯通信端末と通信ネットワークでデータ通信する健康管理機関のデータ処理装置であって、一般ユーザごとのユーザ管理データを記憶するユーザ管理部と、携帯通信端末で閲覧されて健康管理に関連した健康報告データが入力される健康管理サイトをユーザ管理データごとに通信ネットワークに開設する健康管理部と、携帯通信端末による健康管理サイトへのログインをユーザ管理データに基づいて受け付けるログイン部と、ログインされた健康管理サイトに携帯通信端末から入力された健康報告データを受信する上位受信部と、を有し、ユーザ管理部は、受信された健康報告データをユーザ管理データとともに記憶する。
【００１８】
従って、本発明のデータ処理装置では、開設している健康管理サイトに一般ユーザが携帯通信端末でログインして健康報告データを入力すると、その健康報告データがユーザ管理部でユーザ管理データとともに記憶される。このため、例えば、一般ユーザは来院することなく携帯通信端末により医師に病状を健康報告データで報告するようなことができ、医師は一般ユーザが来院せずとも病状をデータ処理装置に記憶された健康報告データで確認するようなことができる。
【００１９】
本発明の携帯通信端末は、健康管理機関のデータ処理装置とデータ通信する一般ユーザの携帯通信端末であって、健康管理に関連した健康報告データの入力を受け付ける健康管理部と、入力された健康報告データをデータ処理装置に送信する端末送信部と、を有する。
【００２０】
従って、本発明の携帯通信端末では、一般ユーザが健康報告データを健康管理部に入力すると、その健康報告データが端末送信部により健康管理機関のデータ処理装置に送信される。このため、例えば、一般ユーザは来院することなく携帯通信端末により医師に病状を健康報告データで報告するようなことができ、医師は一般ユーザが来院せずとも病状をデータ処理装置に記憶された健康報告データで確認するようなことができる。
【００２１】
本発明の第一のコンピュータプログラムは、一般ユーザの携帯通信端末とデータ通信する健康管理機関のデータ処理装置のためのコンピュータプログラムであって、健康管理に関連した健康報告データを携帯通信端末から受信する上位受信処理と、受信された健康報告データを一般ユーザごとのユーザ管理データとともに記憶するユーザ管理処理と、をデータ処理装置に実行させる。
【００２２】
本発明の第二のコンピュータプログラムは、健康質問データを出力して健康報告データの入力を受け付ける健康管理部を一般ユーザの携帯通信端末に実現する健康管理アプリケーションを生成するデータ処理装置のためのコンピュータプログラムであって、ユーザ管理データとともに診断結果データが登録されるユーザ管理処理と、複数の健康質問データを記憶しているソース記憶処理と、登録されたユーザ管理データおよび診断結果データに対応して健康質問データを取捨選択する質問選択処理と、取捨選択された健康質問データで健康管理アプリケーションを生成するアプリケーション生成処理と、をデータ処理装置に実行させる。
【００２３】
本発明の第三のコンピュータプログラムは、一般ユーザの携帯通信端末と通信ネットワークでデータ通信する健康管理機関のデータ処理装置のためのコンピュータプログラムであって、一般ユーザごとのユーザ管理データを記憶するユーザ管理処理と、携帯通信端末で閲覧されて健康管理に関連した健康報告データが入力される健康管理サイトをユーザ管理データごとに通信ネットワークに開設する健康管理処理と、携帯通信端末による健康管理サイトへのログインをユーザ管理データに基づいて受け付けるログイン処理と、ログインされた健康管理サイトに携帯通信端末から入力された健康報告データを受信する上位受信処理と、受信された健康報告データを一般ユーザごとのユーザ管理データとともに記憶するユーザ管理処理と、をデータ処理装置に実行させる。
【００２４】
本発明の第四のコンピュータプログラムは、健康管理機関のデータ処理装置とデータ通信する一般ユーザの携帯通信端末のためのコンピュータプログラムであって、健康管理に関連した健康報告データの入力を受け付ける健康管理処理と、入力された健康報告データをデータ処理装置に送信する端末送信処理と、を携帯通信端末に実行させる。
【００２５】
なお、本発明の各種の構成要素は、その機能を実現するように形成されていればよく、例えば、所定の機能を発揮する専用のハードウェア、所定の機能がコンピュータプログラムにより付与されたデータ処理装置、コンピュータプログラムによりデータ処理装置に実現された所定の機能、これらの任意の組み合わせ、等として実現することができる。
【００２６】
また、本発明で云う通信ネットワークとは、販売端末装置と購入端末装置とデータ処理装置とのデータ通信を仲介できるものであれば、有線、無線、これらの組み合わせ、の何れでもよく、例えば、インターネットまたは電話回線などでよい。
【００２７】
また、本発明で云う携帯通信端末とは、一般ユーザに携帯されてデータ処理装置とデータ通信する装置であればよく、携帯電話端末、ＰＨＳ(Personal Handy-phone System：登録商標)、ＰＤＡ(Personal Digital Assistance)、モバイルＰＣ(Personal Computer)、等でよい。
【００２８】
また、本発明で云う一般ユーザとは、例えば、携帯通信端末を携帯して健康管理機関で診療などの健康管理サービスを受診する患者でよい。ただし、携帯通信端末を携帯する一般ユーザと、健康管理機関で健康管理サービスを受診する被験者と、が同一である必要はない。
【００２９】
例えば、健康管理機関の健康管理サービスの受診者がペットであり、その飼育者が携帯通信端末を携帯する一般ユーザでもよい。また、健康管理機関での健康管理サービスの受診者が重病の患者であり、その介護者が携帯通信端末を携帯する一般ユーザでもよい。
【００３０】
また、本発明で云う健康管理機関とは、被験者に健康管理サービスを提供する機関であればよく、病院や診療所などの医療機関、介護施設、老人福祉施設、養老院、フィットネスクラブ、スポーツジム、動物病院、ペットショップ、等でよい。
【００３１】
また、本発明で云うデータ処理装置とは、健康管理機関でユーザ管理データの管理に利用されて一般ユーザの携帯通信端末とデータ通信するコンピュータ装置であればよい。
【００３２】
従って、このデータ処理装置は、健康管理機関に設置されているサーバ装置、健康管理機関の各種現場に設置されているクライアント装置、これらのサーバ装置とクライアント装置からなるクライアントサーバシステム、等でよい。
【００３３】
ただし、このデータ処理装置は健康管理機関で利用される状態にあればよく、その全体が物理的に健康管理機関に設置されている必要はない。従って、本発明のデータ処理装置として機能するサーバ装置が健康管理機関の外部に設置されており、そのサーバ装置と通信するクライアント装置が健康管理機関の内部に設置されていてもよい。
【発明の効果】
【００３４】
本発明によれば、例えば、一般ユーザは来院することなく携帯通信端末により医師に病状を健康報告データで報告するようなことができ、医師は一般ユーザが来院せずとも病状をデータ処理装置に記憶された健康報告データで確認するようなことができる。このため、一般ユーザと医師との両者の負担を軽減しながら、リアルタイムな病状の報告や確認などを可能とすることができる。
【発明を実施するための最良の形態】
【００３５】
本発明の実施の一形態を図面を参照して以下に説明する。本実施の形態のデータ通信システム１０００は、図１および図２に示すように、一般ユーザＧＵの携帯通信端末１００と健康管理機関ＨＯのデータ処理装置２００とを有し、これらが相互にデータ通信する。
【００３６】
一般ユーザＧＵは、例えば、健康管理機関ＨＯで診療などの健康管理サービスを受診する患者である。健康管理機関ＨＯは、例えば、一般ユーザＧＵに健康管理サービスを提供する病院である。
【００３７】
携帯通信端末１００は、いわゆる携帯電話端末などからなり、上述のように健康管理サービスを受診する一般ユーザＧＵに携帯される。この携帯通信端末１００は、携帯電話網やインターネットを介してデータ処理装置２００とデータ通信する。
【００３８】
このデータ処理装置２００は、健康管理機関ＨＯに設置されたパーソナルコンピュータやサーバ装置やクライアントサーバシステムなどからなり、一般ユーザＧＵに健康管理サービスを提供する医師ＭＰや看護士や技術者などにより操作される。
【００３９】
この携帯通信端末１００は、例えば、各種のデータ処理を実行するコンピュータユニット、各種データの入力操作を受け付けるキーボードユニット等のデータ入力デバイス、各種データを記憶するＲＡＭ(Random Access Memory)等のデータ記憶デバイス、各種データを表示出力するＬＣＤ(Liquid Crystal Display)等のデータ表示デバイス、各種データを音声出力するスピーカユニット、携帯電話ネットワークやインターネットと無線通信する無線通信ユニット、等のハードウェアを有する(図示せず)。
【００４０】
このデータ処理装置２００も、携帯通信端末１００と同様に、例えば、コンピュータユニット、データ入力デバイス、ＨＤＤ(Hard Disc Drive)等のデータ記憶デバイス、データ表示デバイス、スピーカユニット、携帯電話ネットワークやインターネットと有線通信する有線通信ユニット、等のハードウェアを有する(図示せず)。
【００４１】
携帯通信端末１００およびデータ処理装置２００は、例えば、データ記憶デバイスに実装されているコンピュータプログラムに対応してコンピュータユニットが上述の各種デバイスの統合制御などの各種の処理動作を実行することにより、各種機能として各部が論理的に実現されている。
【００４２】
このため、携帯通信端末１００は、健康管理に関連した健康質問データＨＱＤを出力して健康報告データＨＲＤの入力を受け付ける健康管理部１１０と、入力された健康報告データＨＲＤをデータ処理装置２００に送信する端末送信部１２０と、を必須要素として有する。
【００４３】
データ処理装置２００は、携帯通信端末１００から健康報告データＨＲＤを受信する上位受信部２１０と、受信された健康報告データＨＲＤを一般ユーザＧＵごとのユーザ管理データＵＭＤとともに記憶するユーザ管理部２２０と、を必須要素として有する。
【００４４】
例えば、健康管理部１１０は、携帯通信端末１００のコンピュータユニットがコンピュータプログラムに対応してキーボードユニットの入力データを認識する機能などに相当する。端末送信部１２０は、携帯通信端末１００のコンピュータユニットがコンピュータプログラムに対応して無線通信ユニットのデータ送信を動作制御する機能などに相当する。
【００４５】
例えば、上位受信部２１０は、データ処理装置２００のコンピュータユニットがコンピュータプログラムに対応して有線通信ユニットのデータ受信を動作制御する機能などに相当する。
【００４６】
ユーザ管理部２２０は、データ処理装置２００のコンピュータユニットがコンピュータプログラムに対応してデータ記憶デバイスの記憶データを認識する機能などに相当する。
【００４７】
ユーザ管理データＵＭＤは、健康管理機関ＨＯが一般ユーザＧＵを管理するための個人情報などからなり、例えば、一般ユーザＧＵごとのユーザＩＤ(Identity)、一般ユーザＧＵの氏名や年齢や住所、固定電話番号、携帯通信端末１００のメールアドレスや携帯電話番号、緊急連絡先、等からなる。
【００４８】
健康質問データＨＱＤは、一般ユーザＧＵの健康管理に必要な質問事項からなり、例えば、「体温は何度ですか」「食欲がありますか」「薬を飲みましたか」…などのテキストデータからなる。
【００４９】
健康報告データＨＲＤは、上述のような健康質問データＨＱＤに対応して一般ユーザＧＵにより携帯通信端末１００に入力操作される。この健康報告データＨＲＤは、健康質問データＨＱＤごとに用意されている回答の選択や、自由に入力されるテキストデータなどからなる。
【００５０】
このような健康報告データＨＲＤは、例えば、「体温は何度ですか」なる健康質問データＨＱＤに対応して入力操作される「３６」等の数値データ、「食欲がありますか」なる健康質問データＨＱＤに対応して選択操作される「Ｙ／Ｎ」の一方の識別データ、等からなる。
【００５１】
また、データ処理装置２００は、コンピュータユニットがコンピュータプログラムに対応してデータ記憶デバイスの記憶データを有線通信ユニットにデータ送信させることなどにより、健康報告データＨＲＤの入力を受け付ける健康管理部１１０を携帯通信端末１００に実装する機能実装部２３０を、さらに有する。
【００５２】
また、ユーザ管理部２２０は、ユーザ管理データＵＭＤとともに所定の健康管理通知ＨＣＮと通知出力条件も登録される。そして、データ処理装置２００は、受信された健康報告データＨＲＤが通知出力条件に該当しているかをユーザ管理データＵＭＤごとに判定する上位判定部２４０と、通知出力条件に該当していると健康管理通知ＨＣＮを携帯通信端末１００に返信する上位送信部２５０とを、さらに有する。
【００５３】
そこで、携帯通信端末１００は、データ処理装置２００から所定の健康管理通知ＨＣＮを受信する端末受信部１３０と、受信された健康管理通知ＨＣＮを報知出力する通知出力部１４０とを、さらに有する。このため、機能実装部２３０は、上述の端末受信部１３０と通知出力部１４０も携帯通信端末１００に実装する。
【００５４】
さらに、上位受信部２１０は、健康管理通知ＨＣＮへの対処完了として携帯通信端末１００に入力された健康報告データＨＲＤも受信する。そして、データ処理装置２００は、健康管理通知ＨＣＮの送信から所定時間が経過しても対処完了の健康報告データＨＲＤが受信されないと所定の健康管理警告ＨＣＡをユーザ管理データＵＭＤの少なくとも一部とともに報知出力する警告報知部２６０を、さらに有する。
【００５５】
さらに、本実施の形態のデータ処理装置２００は、健康管理部１１０を携帯通信端末１００に実現する健康管理アプリケーションＨＭＡを、一般ユーザＧＵごとに専用にカスタマイズする機能も有する。
【００５６】
このため、本実施の形態のデータ処理装置２００は、図３に示すように、ユーザ管理部２２０に、ユーザ管理データＵＭＤとともに診断結果データＤＲＤが登録され、複数の健康質問データＨＱＤを記憶しているソース記憶部２７０と、登録されたユーザ管理データＵＭＤおよび診断結果データＤＲＤに対応して健康質問データＨＱＤを取捨選択する質問選択部２８０と、取捨選択された健康質問データＨＱＤで健康管理アプリケーションＨＭＡを生成するアプリケーション生成部２９０とを、さらに有する。
【００５７】
より詳細には、ソース記憶部２７０は、ユーザ管理データＵＭＤおよび診断結果データＤＲＤに対応した診断属性データＤＰＤと二値フラグＴＶＦとが各々付与されている複数の健康質問データＨＱＤを記憶している。
【００５８】
質問選択部２８０は、登録されたユーザ管理データＵＭＤおよび診断結果データＤＲＤと診断属性データＤＰＤとの整合関係に基づいて健康質問データＨＱＤの二値フラグＴＶＦをオンオフ設定し、アプリケーション生成部２９０は、二値フラグＴＶＦがオン設定された健康質問データＨＱＤで健康管理アプリケーションＨＭＡを生成する。
【００５９】
診断結果データＤＲＤは、例えば、一般ユーザを診療した医師ＭＰにより、前述の電子カルテＥＣに診断結果の各種データとして登録される。この診断結果データＤＲＤは、基本的なデータは所定フォーマットで入力されるように形成されている。例えば、診療科名、病状の分類名、代表的な病名、等が段階的な選択メニューとして設定されており、体温や血圧や体重などの数値の入力項目が設定されている。
【００６０】
健康質問データＨＱＤは、前述のように「体温は何度ですか」等のテキストデータからなり、その各々に関連する内容の診断属性データＤＰＤが付与されている。この診断属性データＤＰＤは、診断結果データＤＲＤと整合される各種データからなり、例えば、代表的な病名、体温や血圧や体重などの正常な数値範囲、等からなる。
【００６１】
上述のような各部１１０〜１４０は必要により各種のハードウェアを利用して実現されるが、その本質はコンピュータプログラムにより携帯通信端末１００に論理的に実現されている。
【００６２】
このような携帯通信端末１００のコンピュータプログラムは、例えば、健康管理に関連した健康質問データＨＱＤを出力して健康報告データＨＲＤの入力を受け付ける健康管理処理、入力された健康報告データＨＲＤをデータ処理装置２００に送信する端末送信処理、データ処理装置２００から所定の健康管理通知ＨＣＮを受信する端末受信処理、受信された健康管理通知ＨＣＮを報知出力する通知出力処理、等を携帯通信端末１００に実行させるように記述されている。
【００６３】
このようなコンピュータプログラムは、例えば、携帯通信端末１００に最初から実装されている組込ＯＳ(Operating System)と、データ処理装置２００から提供されて実装されるアプリケーションソフトと、の組み合わせからなる。
【００６４】
また、上述のような各部２１０〜，３１０〜をデータ処理装置２００に論理的に実現するコンピュータプログラムは、例えば、ユーザ管理データＵＭＤごとに診断結果データＤＲＤなどが設定された電子カルテＥＣを記憶するユーザ管理処理、複数の健康質問データＨＱＤを記憶するソース記憶処理、登録されたユーザ管理データＵＭＤおよび診断結果データＤＲＤに対応して健康質問データＨＱＤを取捨選択する質問選択処理、取捨選択された健康質問データＨＱＤで健康管理アプリケーションＨＭＡを生成するアプリケーション生成処理、生成された健康管理アプリケーションＨＭＡにより健康管理部１１０を携帯通信端末１００に実装する機能実装処理、健康報告データＨＲＤを携帯通信端末１００から受信する上位受信処理、受信された健康報告データＨＲＤを電子カルテＥＣに登録するユーザ管理処理、受信された健康報告データＨＲＤが通知出力条件に該当しているかをユーザ管理データＵＭＤごとに判定する上位判定処理、通知出力条件に該当していると健康管理通知ＨＣＮを携帯通信端末１００に返信する上位送信処理、等をデータ処理装置２００に実行させるように記述されている。
【００６５】
このようなコンピュータプログラムは、例えば、データ処理装置２００に最初から実装されているＯＳと、サービス業者などから提供されて実装される所定のアプリケーションソフトと、の組み合わせからなる。
【００６６】
上述のような構成において、本実施の形態のデータ通信システム１０００によるデータ通信サービスを以下に具体的に説明する。まず、例えば、健康に異常を感じた一般ユーザＧＵは、健康管理機関ＨＯを来訪して診療などの健康管理サービスを受診する。
【００６７】
すると、健康管理機関ＨＯでは、例えば、その一般ユーザＧＵが初診ならばデータ処理装置２００に電子カルテＥＣが登録される。その場合、看護士により一般ユーザＧＵから各種の個人データが聴取され、それがユーザ管理データＵＭＤとしてデータ処理装置２００の電子カルテＥＣに登録される。
【００６８】
このように一般ユーザＧＵごとの電子カルテＥＣがデータ処理装置２００に登録されると、以降は、その電子カルテＥＣに一般ユーザＧＵの各種データが登録される。そこで、その一般ユーザＧＵに医師ＭＰが診療などの健康管理サービスを提供するとき、その診断結果データＤＲＤなどの各種データも電子カルテＥＣに登録される。
【００６９】
本実施の形態のデータ処理装置２００は、上述のように一般ユーザＧＵごとの電子カルテＥＣに診断結果データＤＲＤが登録された状態で、例えば、図５に示すように、その診断結果データＤＲＤが医師ＭＰにより指定されてアプリケーション生成が入力操作されると、これを検知したデータ処理装置２００では(ステップＳ１)、ユーザ管理データＵＭＤと診断結果データＤＲＤとが取得される(ステップＳ２，Ｓ３)。
【００７０】
そして、これら診断結果データＤＲＤとユーザ管理データＵＭＤとに対応して健康質問データＨＱＤが取捨選択される(ステップＳ４)。
【００７１】
より具体的には、データ処理装置２００には「体温は何度ですか」「食欲がありますか」「薬を飲みましたか」…などの膨大な健康質問データＨＱＤが登録されている。その健康質問データＨＱＤの各々には診断結果データＤＲＤに対応した各種の診断属性データＤＰＤと二値フラグＴＶＦとが付与されている。
【００７２】
例えば、「体温は何度ですか」なる健康質問データＨＱＤには「平熱の数値範囲」「発熱する病名」などの診断属性データＤＰＤが付与されている。そこで、診断結果データＤＲＤとして「体温３９℃」が登録されていると「平熱の数値範囲」を超過と判断されて「体温は何度ですか」なる健康質問データＨＱＤの二値フラグＴＶＦが「オン」となる。また、診断結果データＤＲＤとして「インフルエンザ」などが登録されていても「発熱する病名」に整合して「体温は何度ですか」なる健康質問データＨＱＤの二値フラグＴＶＦが「オン」となる。
【００７３】
上述のような場合、健康質問データＨＱＤに付与されている複数の診断属性データＤＰＤが一つでも該当すれば二値フラグＴＶＦを「オン」としてもよく、多数決で二値フラグＴＶＦを設定してもよい。また、複数の診断属性データＤＰＤに重要度を数値設定しておき、その数値を利用した判定で二値フラグＴＶＦを設定してもよい。
【００７４】
さらに、ユーザ管理データＵＭＤの性別や年齢などにも対応して、各種の健康質問データＨＱＤの二値フラグＴＶＦがオンオフ設定される。例えば、性別が男性の場合には、女性のみ関連する健康質問データＨＱＤの二値フラグＴＶＦは無条件に「オフ」に設定される。また、年齢の数値に対応して、高齢元用の健康質問データＨＱＤや子供用の健康質問データＨＱＤなどの二値フラグＴＶＦがオンオフ設定される。
【００７５】
上述のように膨大な健康質問データＨＱＤから一部が取捨選択されると(ステップＳ４)、これがデータ処理装置２００で一覧表示される(ステップＳ５)。そこで、医師ＭＰは表示出力された健康質問データＨＱＤを確認し、必要ならばデータ処理装置２００の入力操作により健康質問データＨＱＤの削除や追加を実行する(ステップＳ６，Ｓ７)。
【００７６】
上述のように一般ユーザＧＵの病状に対応して健康質問データＨＱＤが確定されると(ステップＳ８)、これで健康管理アプリケーションＨＭＡが生成される(ステップＳ９)。この健康管理アプリケーションＨＭＡは、一般ユーザＧＵの携帯通信端末１００にインストールされるソフトウェアとして生成される。
【００７７】
そこで、医師ＭＰは一般ユーザＧＵに健康管理アプリケーションＨＭＡの使用方法などを説明し、健康管理アプリケーションＨＭＡをデータ処理装置２００から携帯通信端末１００に提供する。
【００７８】
その場合、例えば、データ処理装置２００は電子カルテＥＣのユーザ管理データＵＭＤから携帯通信端末１００のメールアドレスを自動的に検出し、電子メールの添付ファイルにより健康管理アプリケーションＨＭＡを携帯通信端末１００に送信する。
【００７９】
そこで、一般ユーザＧＵは受信した健康管理アプリケーションＨＭＡを携帯通信端末１００にインストールし、例えば、この健康管理アプリケーションＨＭＡを食後などの定時ごとに実行する。
【００８０】
すると、この携帯通信端末１００のディスプレイユニットには、図６および図４(ａ)に示すように、前述のように「体温は何度ですか」「食欲がありますか」「薬を飲みましたか」…などのテキストデータからなる健康質問データＨＱＤが、健康報告データＨＲＤの入力項目などとともに表示出力される(ステップＴ１)。
【００８１】
そこで、一般ユーザＧＵは所望により携帯通信端末１００のキーボードユニットなどで、数値データの入力や「Ｙ／Ｎ」の一方の選択などとして健康報告データＨＲＤを入力操作する。
【００８２】
すると、これを検知した携帯通信端末１００では(ステップＴ２)、その入力操作された健康報告データＨＲＤがメモリデバイスのワークエリアなどで一時保持される(ステップＴ３)。
【００８３】
そして、上述のように複数の健康質問データＨＱＤに対して健康報告データＨＲＤの入力を完了した一般ユーザＧＵは、携帯通信端末１００に「送信」を入力操作する。すると、これを検知した携帯通信端末１００では(ステップＴ４)、例えば、その健康報告データＨＲＤが健康管理アプリケーションＨＭＡによりユーザＩＤなどとともに所定方式で暗号化され、所定のヘッダデータが付与された電子メールとして健康管理機関ＨＯのデータ処理装置２００に送信される(ステップＴ５)。
【００８４】
そこで、図７に示すように、この電子メールを受信したデータ処理装置２００では(ステップＥ１)、例えば、ヘッダデータにより電子メールを健康報告データＨＲＤと判別し、その健康報告データＨＲＤをユーザＩＤなどとともに所定方式で復号する。
【００８５】
そして、そのユーザＩＤにより対応する電子カルテＥＣが検索され(ステップＥ２)、その電子カルテＥＣに健康報告データＨＲＤが日時などとともに登録される(ステップＥ３)。このため、電子カルテＥＣには、一般ユーザＧＵの日常の健康報告データＨＲＤがリアルタイムに蓄積される。
【００８６】
さらに、データ処理装置２００では、その電子カルテＥＣに通知出力条件が登録されているかが確認される(ステップＥ４)。そこで、登録されている場合は、その通知出力条件に健康報告データＨＲＤが該当しているかがユーザ管理データＵＭＤごとに判定される(ステップＥ５)。そして、通知出力条件に該当していると対応する健康管理通知ＨＣＮが携帯通信端末１００に返信される(ステップＥ６)。
【００８７】
通知出力条件は、例えば、一部の健康報告データＨＲＤに対応して「体温＞４０℃」などと設定されている。この場合、一般ユーザＧＵから受信した健康報告データＨＲＤの体温の数値が「４０」を超過していると、「今すぐ病院に来てください」などの健康管理通知ＨＣＮが電子メールなどで携帯通信端末１００に送信される。
【００８８】
そこで、一般ユーザＧＵは携帯通信端末１００で上述の健康管理通知ＨＣＮを受信して確認することにより、緊急に来院などの対処を実行することができる。なお、上述のような健康管理通知ＨＣＮにも「Ｙ／Ｎ」などの選択メニューが付与される。
【００８９】
そこで、一般ユーザＧＵが携帯通信端末１００で「Ｙ」を選択して送信すると、これを受信したデータ処理装置２００では(ステップＥ８)、これが対処完了の健康報告データＨＲＤとして電子カルテＥＣに登録される(ステップＥ９)。
【００９０】
しかし、一般ユーザＧＵが上述のような健康管理通知ＨＣＮに携帯通信端末１００で「Ｎ」を選択して送信したり、健康報告データＨＲＤの送信から何も送信しないまま「１０分」などの所定時間が経過すると、これらを検知したデータ処理装置２００では(ステップＥ７，Ｅ１０)、所定の健康管理警告ＨＣＡがユーザ管理データＵＭＤの少なくとも一部とともに報知出力される(ステップＥ１１)。
【００９１】
この場合、例えば、「××(氏名)さんが××(高熱などの病状)に応答しません」などのガイダンスメッセージが、データ処理装置２００や医師ＭＰの携帯通信端末での音声出力や表示出力などで報知される。このとき、データ処理装置２００のディスプレイユニットには、一般ユーザＧＵの緊急連絡先や住所なども表示出力される。
【００９２】
本実施の形態のデータ通信システム１０００では、上述のように一般ユーザＧＵが健康報告データＨＲＤを携帯通信端末１００に入力すると、その健康報告データＨＲＤが携帯通信端末１００によりデータ処理装置２００に送信される。すると、その健康報告データＨＲＤがデータ処理装置２００で受信され、ユーザ管理データＵＭＤとともに記憶される。
【００９３】
このため、例えば、一般ユーザＧＵは来院することなく携帯通信端末１００により医師ＭＰに病状を健康報告データＨＲＤで報告するようなことができ、医師ＭＰは一般ユーザＧＵが来院せずとも病状をデータ処理装置２００に記憶された健康報告データＨＲＤで確認するようなことができる。従って、一般ユーザＧＵと医師ＭＰとの両者の負担を軽減しながら、リアルタイムな病状の報告や確認などを可能とすることができる。
【００９４】
特に、一般ユーザＧＵごとに用意されている電子カルテＥＣに健康報告データＨＲＤが日時などとともに時系列に蓄積される。このため、医師ＭＰは電子カルテＥＣにより一般ユーザＧＵの病状とともに治癒経過や生活習慣なども簡単かつ確実に把握することができ、健康報告データＨＲＤの記録内容を電子カルテＥＣに複写する必要もない。
【００９５】
さらに、上述の健康報告データＨＲＤは一般ユーザＧＵにより携帯通信端末１００に入力されるので、一般ユーザＧＵが不慣れな用紙に健康報告を手書きするような必要がない。
【００９６】
しかも、健康報告データＨＲＤは健康質問データＨＱＤごとに入力すればよい。さらに、健康質問データＨＱＤには必要により健康報告データＨＲＤが選択メニューとして用意されている。
【００９７】
このため、一般ユーザＧＵによる健康質問データＨＱＤの入力の作業負担を軽減することができる。従って、一般ユーザＧＵが健康質問データＨＱＤの入力作業を忌避して継続しないことを防止できる。
【００９８】
特に、上述のように健康質問データＨＱＤを出力して健康報告データＨＲＤが入力される健康管理アプリケーションＨＭＡは、その一般ユーザＧＵに専用としてカスタマイズされている。
【００９９】
このため、その一般ユーザＧＵに健康質問データＨＱＤを過不足なく提供することができ、医師ＭＰは診断に必要な健康報告データＨＲＤを過不足なく取得することができる。従って、この観点でも一般ユーザＧＵと医師ＭＰとの両方の負担を軽減することができる。
【０１００】
しかも、入力された健康質問データＨＱＤは専用の健康管理アプリケーションＨＭＡにより確実に健康管理機関ＨＯのデータ処理装置２００に送信される。このため、入力した健康質問データＨＱＤを送信する作業も簡易であり、守秘性が重要な病状の個人情報が誤送されることを防止できる。
【０１０１】
特に、送信される健康質問データＨＱＤが専用の健康管理アプリケーションＨＭＡにより暗号化されるので、守秘性が重要な個人情報のセキュリティ性が良好である。当然ながら、その暗号形式はデータ処理装置２００には自明なので、データ処理装置２００は受診した健康質問データＨＱＤを問題なく復号することができる。
【０１０２】
さらに、上述のように一般ユーザＧＵに専用の健康管理アプリケーションＨＭＡは、一般ユーザＧＵのユーザ管理データＵＭＤと診断結果データＤＲＤとに対応して自動的に生成される。
【０１０３】
このため、医師ＭＰが手作業で膨大な健康質問データＨＱＤを取捨選択して健康管理アプリケーションＨＭＡを作成するような必要がないので、その作業負担を軽減することができる。
【０１０４】
この健康管理アプリケーションＨＭＡはデータ処理装置２００から携帯通信端末１００に提供されてインストールされるので、携帯通信端末１００に専用のハードウェアを増設するようなことなく必要な機能を簡単に実装することができる。
【０１０５】
しかも、上述のように健康管理アプリケーションＨＭＡを生成する機能と、健康管理アプリケーションＨＭＡが実装された携帯通信端末１００から健康報告データＨＲＤを取得して登録する機能とが、電子カルテＥＣを管理する一個のデータ処理装置２００に搭載されている。
【０１０６】
このため、電子カルテＥＣに登録されるユーザ管理データＵＭＤと診断結果データＤＲＤから自動的に健康管理アプリケーションＨＭＡを生成することができ、電子カルテＥＣに健康報告データＨＲＤを蓄積することができる。
【０１０７】
特に、生成された健康管理アプリケーションＨＭＡは、ユーザ管理データＵＭＤに基づいて携帯通信端末１００に自動的に送信されるので、医師ＭＰなどが手動操作で健康管理アプリケーションＨＭＡを携帯通信端末１００に送信する必要もなく、誤送が発生することもない。
【０１０８】
さらに、データ処理装置２００には、電子カルテＥＣにユーザ管理データＵＭＤとともに所定の健康管理通知ＨＣＮと通知出力条件も登録され、受信された健康報告データＨＲＤが通知出力条件に該当しているかがユーザ管理データＵＭＤごとに判定され、通知出力条件に該当していると健康管理通知ＨＣＮが携帯通信端末１００に返信される。
【０１０９】
このため、一般ユーザＧＵの健康報告データＨＲＤに基づいて、必要な連絡を健康管理通知ＨＣＮとして一般ユーザＧＵに自動的に送付することができる。従って、一般ユーザＧＵが自覚することなく緊急事態が発生しているようなときに、これを自動的に迅速に一般ユーザＧＵに認識させることができる。
【０１１０】
特に、健康管理通知ＨＣＮは一般ユーザＧＵが携帯通信端末１００で健康報告データＨＲＤを送信した直後に受信されることになる。このため、一般ユーザＧＵが健康管理通知ＨＣＮに気付かず見過ごすことも良好に防止される。
【０１１１】
しかも、データ処理装置２００は、上述のような健康管理通知ＨＣＮへの対処完了として携帯通信端末１００に入力された健康報告データＨＲＤも受信して電子カルテＥＣに登録される。
【０１１２】
従って、医師ＭＰなどは健康管理通知ＨＣＮに対して一般ユーザＧＵが適正に対処したかを簡単に確認することができ、例えば、これから来所する一般ユーザＧＵの治療の用意を迅速に実行するようなこともできる。
【０１１３】
さらに、健康管理通知ＨＣＮの出力から所定時間が経過しても対処完了の健康報告データＨＲＤが受信されないと所定の健康管理警告ＨＣＡが報知出力される。このため、一般ユーザＧＵが適正に対処していないことや、対処できないことを医師ＭＰなどが迅速に認識することができる。
【０１１４】
特に、上述の健康管理警告ＨＣＡはユーザ管理データＵＭＤの少なくとも一部とともに報知出力されるので、どの一般ユーザＧＵに緊急事態が発生しているかも即座に確認することができ、緊急連絡先への連絡や救急車の手配などを迅速に実行することができる。
【０１１５】
なお、本発明は上記形態に限定されるものではなく、その要旨を逸脱しない範囲で各種の変形を許容する。例えば、上記形態ではデータ処理装置２００が携帯通信端末１００から取得した健康報告データＨＲＤを電子カルテＥＣに登録することを例示した。
【０１１６】
しかし、健康報告データＨＲＤが電子カルテＥＣとは完全に別個に蓄積されてもよく、別個に蓄積されてリンクされてもよく、健康報告データＨＲＤから所定データのみ抽出されて電子カルテＥＣに登録されてもよい。
【０１１７】
また、上記形態では健康報告データＨＲＤが選択メニューやテキストデータからなることを例示した。しかし、携帯通信端末１００で普及しているカメラデバイス(図示せず)により撮像された写真データが健康報告データＨＲＤに内包されてもよい。
【０１１８】
例えば、一般ユーザＧＵが食事療法している場合、その食事を撮像して報告することにより、医師ＭＰが食事内容を検討してアドバイスするようなことができる。また、一般ユーザＧＵが皮膚病や術後の場合、その患部を撮像して報告することにより、医師ＭＰが簡単に患部を確認することができる。
【０１１９】
さらに、一般ユーザＧＵが食品にバーコードとして添付されているＪＡＮ(Japanese Article Number)コードなどを携帯通信端末１００のカメラデバイスで撮像して健康報告データＨＲＤに登録してもよい。
【０１２０】
この場合、健康管理機関ＨＯのデータ処理装置２００は、例えば、ＪＡＮコードにより食品メーカのデータベースから含有成分を取得し、それが通知出力条件に該当しているかを判定するようなことができる。
【０１２１】
従って、アレルギ体質のために摂取が厳禁な成分や、飲用薬とともに摂取してはいけない成分が食品に含有されていたような場合、これを自動的に検知して健康管理通知ＨＣＮや健康管理警告ＨＣＡを出力することができる。
【０１２２】
また、一般ユーザＧＵがテキストデータで自由に入力した健康報告データＨＲＤから、データマイニングなどの手法でキーワードが抽出されて通知出力条件に該当しているかが判定されてもよい。
【０１２３】
さらに、携帯通信端末１００が、健康報告データＨＲＤの少なくとも一部を生成するデータ生成部と、生成された健康報告データＨＲＤを健康管理部１１０に入力する報告入力部とを、さらに有してもよい(図示せず)。
【０１２４】
例えば、現在は携帯通信端末１００として歩数計を内蔵した携帯電話端末が市販されている。そこで、携帯通信端末１００の歩数計の計測結果を健康管理アプリケーションＨＭＡが自動的に取得して健康報告データＨＲＤに登録してもよい。
【０１２５】
また、携帯通信端末１００が、外部のデータ生成デバイスから健康報告データＨＲＤの少なくとも一部を取得して健康管理部１１０に入力する報告入力部を、さらに有してもよい(図示せず)。
【０１２６】
このようなデータ生成デバイスとしては、例えば、電子体温計やデジタル体重計やデジタル血圧計などが想定できる。そこで、このようなデータ生成デバイスと有線や無線で通信するインターフェイスを携帯通信端末１００に搭載しておき、その測定結果を健康管理アプリケーションＨＭＡで自動的に取得して健康報告データＨＲＤに登録すればよい。
【０１２７】
なお、現在のデジタル体重計などはＵＳＢ等でパーソナルコンピュータと接続できる製品が多々ある。そこで、そのパーソナルコンピュータを経由してデータ生成デバイスと携帯通信端末１００とが接続されてもよく、パーソナルコンピュータと同様にデータ生成デバイスと通信できる専用の増設デバイスが携帯通信端末１００に装着されてもよい(ともに図示せず)。
【０１２８】
また、上記形態では健康管理通知ＨＣＮが通常の電子メールによりデータ処理装置２００から携帯通信端末１００に送信されて一般ユーザＧＵに報知されることを例示した。
【０１２９】
しかし、健康管理通知ＨＣＮが携帯通信端末１００の健康管理アプリケーションＨＭＡにより受信されて報知出力されてもよい。この場合、重大な健康管理通知ＨＣＮを確実に報知することができる。このような健康管理アプリケーションＨＭＡは、例えば、携帯通信端末１００のバックグラウンドで常時作動するソフトウェアとしておくことがよい。
【０１３０】
さらに、上記形態ではデータ処理装置２００により健康報告データＨＲＤが通知出力条件に該当しているかが判定されて健康管理通知ＨＣＮが携帯通信端末１００に返信されることを例示した。
【０１３１】
しかし、この健康管理通知ＨＣＮがデータ処理装置２００から医師ＭＰなどに報知出力されてもよい。この場合、医師ＭＰは健康管理通知ＨＣＮの内容を確認し、必要ならば一般ユーザＧＵに直接連絡するようなことができる。
【０１３２】
また、上述のように健康報告データＨＲＤが通知出力条件に該当しているかを判定して健康管理通知ＨＣＮを報知出力することを、携帯通信端末１００が健康管理アプリケーションＨＭＡによりスタンドアロンで実行してもよい。
【０１３３】
同様に、上記形態では健康管理通知ＨＣＮの送信から所定時間が経過するまでに適正な対処完了の健康報告データＨＲＤが受信されないと、データ処理装置２００が健康管理警告ＨＣＡを報知出力することを例示した。
【０１３４】
しかし、このように健康管理通知ＨＣＮの出力から所定時間が経過するまでに適正な対処完了の健康報告データＨＲＤが入力されないと健康管理警告ＨＣＡを報知出力することを、携帯通信端末１００が健康管理アプリケーションＨＭＡによりスタンドアロンで実行してもよい。
【０１３５】
さらに、データ処理装置２００にユーザ管理データＵＭＤとともに所定の健康管理通知ＨＣＮと通知出力時刻も登録され、その通知出力時刻ごとに健康管理通知ＨＣＮが携帯通信端末１００に送信されてもよい。
【０１３６】
同様に、データ処理装置２００により携帯通信端末１００の健康管理アプリケーションＨＭＡに通知出力時刻も登録され、携帯通信端末１００が健康管理アプリケーションＨＭＡにより通知出力時刻ごとに健康管理通知ＨＣＮをスタンドアロンで報知出力してもよい。
【０１３７】
これらの場合、例えば、飲用薬の時刻を一般ユーザＧＵに自動的に通知するようなことができる。この場合も、一般ユーザＧＵは「薬を飲みましたか」などの健康質問データＨＱＤに対処完了の健康報告データＨＲＤを入力することになる。
【０１３８】
従って、この適正な対処完了の健康報告データＨＲＤが所定時間までに入力されないと、「薬を飲んでください」「××さんに薬を飲むよう連絡してください」等の健康管理警告ＨＣＡが携帯通信端末１００やデータ処理装置２００から報知出力されることがよい。
【０１３９】
この場合、例えば、独居老人に定時連絡として健康管理通知ＨＣＮが送信され、それに返答が健康報告データＨＲＤとして入力されないと、「××さんから連絡がありません」等の健康管理警告ＨＣＡをデータ処理装置２００に報知出力させることもできる。
【０１４０】
さらに、上述のような健康管理通知ＨＣＮや健康管理警告ＨＣＡを出力する装置が重要度などにより設定されていてもよい。例えば、「薬を飲む時間です」などの軽微な健康管理通知ＨＣＮは携帯通信端末１００のみで報知出力され、「今すぐ病院に来てください」「××さんに緊急入院が必要です」などの重要な健康管理警告ＨＣＡは携帯通信端末１００とデータ処理装置２００との両方で報知出力される、等の処理動作が実行されてもよい。
【０１４１】
また、上述のような健康管理通知ＨＣＮの出力などが複数の通知出力条件との整合などにより動的に制御されてもよい。例えば、健康報告データＨＲＤにより体温が高熱であることと解熱剤が飲用されていないことの両方が判定されると、「安静にしてください」などの健康管理通知ＨＣＮが出力されるが、この健康管理通知ＨＣＮは体温が平熱であることか解熱剤の飲用かが一方でも判定されると出力されない、等の処理動作が携帯通信端末１００やデータ処理装置２００で実行されてもよい。
【０１４２】
さらに、複数の健康報告データＨＲＤの蓄積などにより健康管理通知ＨＣＮの出力が動的に制御されてもよい。例えば、病状が風邪や打ち身のように自然治癒が前提の軽微な症例の場合、健康報告データＨＲＤにより正常であることが所定回数まで確認されると「完治したと判断します。もう来院の必要はありません。もしも具合が悪くなりましたら御連絡ください」等の健康管理通知ＨＣＮが自動出力されてもよい。
【０１４３】
また、上記形態では携帯通信端末１００に実装された健康管理アプリケーションＨＭＡが登録されている健康質問データＨＱＤを一覧出力することを例示した。しかし、健康質問データＨＱＤが順番に出力され、そこに一般ユーザＧＵが入力した健康報告データＨＲＤに対応して次段以降の健康質問データＨＱＤが動的に変化してもよい。
【０１４４】
この場合、一般ユーザＧＵが入力した健康報告データＨＲＤに対応して、以降の無用な健康質問データＨＱＤを排除し、有用な健康質問データＨＱＤを過不足なく出力するようなことができる。
【０１４５】
さらに、上記形態では携帯通信端末１００に一覧表示された健康質問データＨＱＤに入力された健康報告データＨＲＤが手動操作により送信されることを例示した。しかし、全部の健康報告データＨＲＤが入力されるとデータ送信が自動的に実行されてもよく、健康報告データＨＲＤが入力されるごとにリアルタイムに送信されることも不可能ではない。
【０１４６】
また、上述のような健康管理アプリケーションＨＭＡによる携帯通信端末１００の表示画面の最上部などに「緊急連絡」などの操作アイコンを表示出力させ(図示せず)、これが選択操作されると無条件に携帯通信端末１００からデータ処理装置２００に健康管理警告ＨＣＡが送信されて報知出力されてもよい。
【０１４７】
さらに、上記形態ではユーザ管理データＵＭＤと診断結果データＤＲＤとに基づいて健康質問データＨＱＤが取捨選択されることでデータ処理装置２００により健康管理アプリケーションＨＭＡが生成されることを例示した。
【０１４８】
しかし、データ処理装置２００から「病名は何ですか」「患者は男性ですか」等の質問が医師ＭＰに出力され、これに医師ＭＰが回答を入力することで健康質問データＨＱＤが取捨選択されて健康管理アプリケーションＨＭＡが生成されてもよい。
【０１４９】
同様に、このように質問に回答することで健康管理アプリケーションＨＭＡを生成するソフトウェアが携帯通信端末１００に提供され、一般ユーザＧＵが回答を入力することで健康管理アプリケーションＨＭＡが携帯通信端末１００で生成されてもよい。
【０１５０】
さらに、診療科ごとや病名ごとや病状ごとなどで各種の健康管理アプリケーションＨＭＡがデータ処理装置２００に登録されており、その一つないし複数を医師ＭＰが選択して組み合わせたり編集してもよい。
【０１５１】
また、上記形態では携帯通信端末１００にインストールされる健康管理アプリケーションＨＭＡにより健康報告データＨＲＤがデータ処理装置２００に送信されることを例示した。
【０１５２】
しかし、データ処理装置２００が、一般ユーザＧＵごとのユーザ管理データＵＭＤを記憶するユーザ管理部２２０と、携帯通信端末１００で閲覧されて健康管理に関連した健康報告データＨＲＤが入力される健康管理サイトをユーザ管理データＵＭＤごとに通信ネットワークに開設する健康管理部１１０と、携帯通信端末１００による健康管理サイトへのログインをユーザ管理データＵＭＤに基づいて受け付けるログイン部と、ログインされた健康管理サイトに携帯通信端末１００から入力された健康報告データＨＲＤを受信する上位受信部２１０と、を有してもよい(図示せず)。
【０１５３】
この場合、携帯通信端末１００に専用のアプリケーションをインストールすることなく、一般ユーザＧＵが携帯通信端末１００からデータ処理装置２００に健康管理サイトで健康報告データＨＲＤを送信することができる。
【０１５４】
このような場合も、データ処理装置２００にユーザ管理データＵＭＤとともに所定の健康管理通知ＨＣＮと通知出力条件が登録され、受信された健康報告データＨＲＤが通知出力条件に該当しているかがユーザ管理データＵＭＤごとに判定されてもよい。
【０１５５】
その場合、通知出力条件に該当していると健康管理通知ＨＣＮが健康管理サイトに表示出力される。従って、一般ユーザＧＵは、健康報告データＨＲＤを入力した健康管理サイトで健康管理通知ＨＣＮを確認することができる。
【０１５６】
なお、このような健康管理サイトにおいて、前述のように「病名は何ですか」「男性ですか」等の質問に一般ユーザＧＵが回答を入力することで、その一般ユーザＧＵに専用の健康質問データＨＱＤの一群が登録されてもよい。
【０１５７】
また、データ処理装置２００が、ユーザ管理データＵＭＤの少なくとも一部と来訪日時とが設定されている複数の一般ユーザＧＵのユーザ来訪予定を記憶している予定管理部と、受信された健康報告データＨＲＤが所定の来訪設定条件に該当しているかを判別する条件判別部と、来訪設定条件に該当しているとユーザ来訪予定を生成して予定管理部に登録する予定登録部とを、さらに有してもよい(図示せず)。
【０１５８】
この場合、一般ユーザＧＵが携帯通信端末１００に健康報告データＨＲＤを入力してデータ処理装置２００に送信すると、その健康報告データＨＲＤにより判断される病状、担当する医師ＭＰが診療できる日時などの来訪設定条件、等に対応した適正なユーザ来訪予定をデータ処理装置２００が自動的に生成することができる。
【０１５９】
なお、前述のようにデータ処理装置２００が健康管理サイトをユーザ管理データＵＭＤごとに通信ネットワークに開設する場合は、上述のように登録されたユーザ来訪予定を健康管理サイトに表示出力してもよい(図示せず)。
【０１６０】
当然ながら、上述のように登録されたユーザ来訪予定はデータ処理装置２００が携帯通信端末１００に送信することがよい。この場合、一般ユーザＧＵは携帯通信端末１００でユーザ来訪予定を確認して管理することができる。
【０１６１】
さらに、このように携帯通信端末１００で受信されたユーザ来訪予定を健康管理アプリケーションＨＭＡが認識し、例えば、そのユーザ来訪予定の前日や一時間前などに対応する健康管理通知ＨＣＮが報知出力されてもよい。
【０１６２】
また、上記形態ではデータ処理装置２００が健康管理アプリケーションＨＭＡを電子メールの添付ファイルにより携帯通信端末１００に提供することを例示した。しかし、この健康管理アプリケーションＨＭＡの提供は、例えば、データ処理装置２００と携帯通信端末１００とに着脱されるメモリカードの授受、データ処理装置２００と携帯通信端末１００とのＵＳＢ(Universal Serial Bus)等による有線通信、データ処理装置２００によるウェブサイトの登録データの携帯通信端末１００によるダウンロード、等により実行されてもよい(何れも図示せず)。
【０１６３】
さらに、上記形態では携帯通信端末１００が健康報告データＨＲＤをデータ処理装置２００にリアルタイムに無線送信することのみ例示した。しかし、健康報告データＨＲＤが携帯通信端末１００に蓄積されて所定タイミングに無線送信されてもよく、例えば、一般ユーザＧＵが健康管理機関ＨＯを来訪したときなどにデータ処理装置２００にオンラインで送信されてもよい。
【０１６４】
この場合、例えば、携帯通信端末１００が接続されるデータ処理装置２００の有線通信端末(図示せず)を健康管理機関ＨＯの入口に設置しておくことにより、健康管理機関ＨＯの内部では携帯通信端末１００をオフ状態とすることができる。
【０１６５】
また、上記形態では携帯通信端末１００を携帯する一般ユーザＧＵが健康管理機関ＨＯで健康管理サービスを受診することを例示した。しかし、健康管理サービスの受診者がペットであり、その飼育者が携帯通信端末１００を携帯する一般ユーザでもよい。
【０１６６】
さらに、健康管理サービスの受診者が重病の患者であり、その介護者が携帯通信端末１００を携帯する一般ユーザでもよい。従って、携帯通信端末１００を携帯する一般ユーザと、健康管理サービスを受診する被験者と、が一対一である必要もない。
【０１６７】
例えば、複数の患者を一人の介護者が介護していてもよく、この場合は、介護者が携帯する一個の携帯通信端末１００に患者ごとに複数の健康管理部が実装されてもよく、患者ごとの複数の携帯通信端末１００を一人の介護者が携帯してもよい(図示せず)。
【０１６８】
また、上記形態ではデータ処理装置２００が一個のハードウェアからなるように説明した。しかし、前述のようにデータ処理装置２００が複数のハードウェアからなるクライアントサーバシステム等で形成されていてもよい。
【０１６９】
さらに、上記形態では健康管理アプリケーションＨＭＡを生成する機能と、携帯通信端末１００から健康報告データＨＲＤを取得して登録する機能とが、一個のデータ処理装置２００に搭載されていることを例示した。
【０１７０】
しかし、健康管理アプリケーションＨＭＡを生成する第一のデータ処理装置と、携帯通信端末１００から健康報告データＨＲＤを取得して登録する第二のデータ処理装置とが、完全に独立していてもよい(図示せず)。
【０１７１】
その場合、第一のデータ処理装置が健康管理アプリケーションＨＭＡを携帯通信端末１００に送信して実装させ、この携帯通信端末１００から第二のデータ処理装置が健康報告データＨＲＤを取得してもよい。
【０１７２】
また、第一のデータ処理装置が健康管理アプリケーションＨＭＡを第二のデータ処理装置に提供し、この第二のデータ処理装置が健康管理アプリケーションＨＭＡを携帯通信端末１００に送信して健康報告データＨＲＤを取得してもよい。
【０１７３】
さらに、本実施の形態ではデータ処理装置２００の各部がコンピュータプログラムにより各種機能として論理的に実現されることを例示した。しかし、このような各部の各々を固有のハードウェアとして形成することもでき、ソフトウェアとハードウェアとの組み合わせとして実現することもできる。
【０１７４】
同様に、上記形態では携帯通信端末１００として一般ユーザＧＵが所有する一般的な携帯電話端末が利用されることを想定した。しかし、このような携帯通信端末として健康管理サービスのために専用の機器が利用されてもよい(図示せず)。
【０１７５】
その場合、前述のように体温や血圧を測定するデータ生成部を携帯通信端末に搭載することが容易であり、外部のデータ生成デバイスが接続されるインターフェイスを搭載することも容易である。
【０１７６】
このような携帯通信端末は、例えば、一般ユーザに市販されてもよく、健康管理機関から一般ユーザに貸与されてもよい。さらに、当然ながら、上述した実施の形態および複数の変形例は、その内容が相反しない範囲で各種に組み合わせることができる。
【図面の簡単な説明】
【０１７７】
【図１】本発明の実施の形態のデータ通信システムの論理構造を示す模式的なブロック図である。
【図２】データ通信システムの物理構造を示すブロック図である。
【図３】データ処理装置の論理構造を示す模式的なブロック図である。
【図４】携帯通信端末に表示出力される健康質問データと健康報告データとの表示画像を示す模式的な正面図である。
【図５】データ処理装置で健康管理アプリケーションが生成されるときの処理動作を示すフローチャートである。
【図６】携帯通信端末で健康報告データが入力されるときの処理動作を示すフローチャートである。
【図７】データ処理装置で健康報告データが受信されたときの処理動作を示すフローチャートである。
【符号の説明】
【０１７８】
１００    携帯通信端末
１１０    健康管理部
１２０    端末送信部
１３０    端末受信部
１４０    通知出力部
２００    データ処理装置
２１０    上位受信部
２２０    ユーザ管理部
２３０    機能実装部
２４０    上位判定部
２５０    上位送信部
２６０    警告報知部
２７０    ソース記憶部
２８０    質問選択部
２９０    アプリケーション生成部
１０００    データ通信システム
ＤＰＤ    診断属性データ
ＤＲＤ    診断結果データ
ＥＣ    電子カルテ
ＧＵ    一般ユーザ
ＨＣＡ    健康管理警告
ＨＣＮ    健康管理通知
ＨＭＡ    健康管理アプリケーション
ＨＯ    健康管理機関
ＨＱＤ    健康質問データ
ＨＲＤ    健康報告データ
ＭＰ    医師
ＴＶＦ    二値フラグ
ＵＭＤ    ユーザ管理データ
【図１】
2008269372.tif 000003
【図２】
2008269372.tif 000004
【図３】
2008269372.tif 000005
【図４】
2008269372.tif 000006
【図５】
2008269372.tif 000007
【図６】
2008269372.tif 000008
【図７】
2008269372.tif 000009